(57)【要約】【課題】本発明は、発光部の実装効率に優れた照明手段を有する画像読取装置及び画像形成装置を提供することを目的とする。【解決手段】カラーコピー機１は、原稿Ｇ側に発光面が配置される複数のＬＥＤ４１０、４２０と複数のＬＥＤ４１０、４２０が実装されるＬＥＤ基板４０１とを有し原稿Ｇに光を照射するＬＥＤユニット４００を備える。ＬＥＤ基板４０１には、複数の孔部４０２が形成され、複数のＬＥＤ４１０、４２０のうち一部のＬＥＤそれぞれは、ＬＥＤ基板４０１における原稿Ｇ側の第１面４０１ａ側に実装され、複数のＬＥＤ４１０、４２０のうち他のＬＥＤそれぞれは、複数の孔部４０２それぞれに挿通した状態でＬＥＤ基板４０１における第１面４０１ａと反対側の第２面４０１ｂ側に実装される。【選択図】図７
2010026289.tif 000002
【特許請求の範囲】
【請求項１】
原稿側に発光面が配置される複数の発光部と前記複数の発光部が実装される基板とを有し原稿に光を照射する照明手段と、
前記原稿からの光束を反射させて光路を形成するミラーと、
前記ミラーにより反射された光束を結像させる結像レンズと、
前記結像レンズの結像位置に配置され、前記結像レンズによる結像に基づいて前記原稿の画像を読み取る読取手段と、を備え、
前記基板には、複数の孔部が形成され、
前記複数の発光部のうち一部の発光部それぞれは、前記基板における前記原稿側の第１面側に実装され、
前記複数の発光部のうち他の発光部それぞれは、前記複数の孔部それぞれに挿通した状態で前記基板における前記第１面と反対側の第２面側に実装される
画像読取装置。
【請求項２】
所定方向において、前記第１面側に実装される発光部と、前記第２面側に実装される発光部とが交互に配置される
請求項１に記載の画像読取装置。
【請求項３】
主走査方向において、前記第１面側に実装される発光部と、前記第２面側に実装される発光部とが交互に配置されると共に互いに近接して配置される
請求項２に記載の画像読取装置。
【請求項４】
前記第１面に実装された発光部と前記第２面に実装された発光部とは、前記発光面が略同一面に位置するように構成される
請求項１から３に記載の画像読取装置。
【請求項５】
前記複数の発光部における発光を制御する発光制御部と、を備え、
前記発光制御部は、前記第１面側に実装される発光部における発光と、前記第２面に実装される発光部における発光とを、別々に制御する
請求項１から４に記載の画像読取装置。
【請求項６】
請求項１から５のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、
前記転写部により前記所定の用紙に転写されたトナー画像を定着させる定着部と、を備える
画像形成装置。
【発明の詳細な説明】
【技術分野】
【０００１】
本発明は、画像読取装置及び画像形成装置に関する。
【背景技術】
【０００２】
従来、原稿の画像を読み取る画像読取装置として、原稿に光を照射する照明手段と、原稿からの光を反射させて光路を形成するミラーと、原稿からの光束を結像させる結像レンズと、結像レンズにより結像された原稿の画像を読み取るＣＣＤ（Ｃｈａｒｇｅ―Ｃｏｕｐｌｅｄ  Ｄｅｖｉｃｅ）と、を備える画像読取装置が知られている。画像読取装置における照射手段（光源）として、発光部である冷陰極蛍光灯やキセノンランプが用いられたものが使用されていた。更には、細長い長方形状の基板に複数の白色ＬＥＤを設置し、照射手段とする画像読取装置が提案されていた。
【０００３】
近年、画像読取速度の高速化により、光源に要求される光量は大きくなる方向である。そのため、光照射手段（光源）として高輝度のＬＥＤを用いるか、白色ＬＥＤの個数を増やす必要があった。これに対応し、例えば、白色ＬＥＤを複数列配置した画像読取装置が提案されている（例えば、特許文献１参照）。
【特許文献１】特開２００５−２７０８２号公報
【発明の開示】
【発明が解決しようとする課題】
【０００４】
しかし、特許文献１の画像読取装置では、光照射手段が大型化してしまうという問題があった。また、白色ＬＥＤを近接して配置した場合においても、所定範囲に配置できる白色ＬＥＤの数には限界があった。特に、白色ＬＥＤを基板等に実装する場合、実際には、白色ＬＥＤの外周にボンディング部が形成されるので、白色ＬＥＤ同士は、所定の隙間を空けて実装されている。このため、白色ＬＥＤ同士の間に所定間隔をあけて実装する必要があり、実装効率には限界があった。
【０００５】
本発明は、発光部の実装効率に優れた照明手段を有する画像読取装置を提供することを目的とする。
また、本発明は、該画像読取装置を備える画像形成装置を提供することを目的とする。
【課題を解決するための手段】
【０００６】
本発明は、原稿側に発光面が配置される複数の発光部と前記複数の発光部が実装される基板とを有し原稿に光を照射する照明手段と、前記原稿からの光束を反射させて光路を形成するミラーと、前記ミラーにより反射された光束を結像させる結像レンズと、前記結像レンズの結像位置に配置され、前記結像レンズによる結像に基づいて前記原稿の画像を読み取る読取手段と、を備え、前記基板には、複数の孔部が形成され、前記複数の発光部のうち一部の発光部それぞれは、前記基板における前記原稿側の第１面側に実装され、前記複数の発光部のうち他の発光部それぞれは、前記複数の孔部それぞれに挿通した状態で前記基板における前記第１面と反対側の前記第２面側に実装される画像読取装置に関する。
【０００７】
また、所定方向において、前記第１面側に実装される発光部と、前記第２面側に実装される発光部とが交互に配置されることが好ましい。
【０００８】
また、主走査方向において、前記第１面側に実装される発光部と、前記第２面側に実装される発光部とが交互に配置されると共に互いに近接して配置されることが好ましい。
【０００９】
また、前記第１面に実装された発光部と前記第２面に実装された発光部とは、前記発光面が略同一面に位置するように構成されることが好ましい。
【００１０】
また、前記複数の発光部における発光を制御する発光制御部と、を備え、前記発光制御部は、前記第１面側に実装される発光部における発光と、前記第２面に実装される発光部における発光とを、別々に制御することが好ましい。
【００１１】
本発明は、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、前記転写部により前記所定の用紙に転写されたトナー画像を定着させる定着部と、を備える画像形成装置に関する。
【発明の効果】
【００１２】
本発明によれば、発光部の実装効率に優れた照明手段を有する画像読取装置を提供することができる。
また、本発明によれば、該画像読取装置を備える画像形成装置を提供することができる。
【発明を実施するための最良の形態】
【００１３】
以下、図面を参照して本発明を実施するための最良の形態を説明する。
まず、図１により、本実施形態における画像形成装置としてのカラーコピー機１における全体構造を説明する。図１は、カラーコピー機１における各構成要素の配置を説明するための左側面図である。本実施形態において、後述する手差しトレイ６５が配置された側（図１における右側）をカラーコピー機１の前側とする。
【００１４】
画像形成装置としてのカラーコピー機１は、該カラーコピー機１における上方側に配置される画像読取装置３００と、下方側に配置され画像読取装置３００からの画像情報に基づいて用紙Ｔにトナー画像を形成する装置本体Ｍと、を備える。
【００１５】
画像読取装置３００は、所定の原稿Ｇ（図２参照）を送り出す原稿送り部７０と、原稿Ｇの画像を読み込む読取部３０１と、を備える。原稿送り部７０は、読取部３０１に対して不図示の連結部により開閉可能に連結される。原稿送り部７０は、後述する読取面３０２Ａ（図３参照）を保護する機能も有する。
【００１６】
原稿送り部７０が閉状態の場合、原稿Ｇは、原稿送り部７０における上面に形成される原稿載置部７１に載置される。原稿載置部７１に載置された原稿Ｇは、不図示の送りローラにより読取部３０１における読取面３０２Ａ（図３参照）を構成する第１読取面３０３Ａ（図３参照）に移動される。この場合、後述する照明ユニット３４７（図３参照）及びミラーユニット３４９（図３参照）は、第１位置３０３（図３参照）に固定される。そして、原稿Ｇが第１読取面３０３Ａをスライドするように移動されることで、読取手段としてのＣＣＤ３５８（図３参照）により、原稿Ｇの表面に形成された画像が読み取られる。
【００１７】
原稿送り部７０が開状態の場合、原稿Ｇは、読取面３０２Ａを構成する第２読取面３０４Ａ（図３参照）に載置される。この場合、照明ユニット３４７及びミラーユニット３４９は、第２位置３０４（図３参照）に配置されると共に、第２位置３０４において副走査方向Ｘにそれぞれ移動する。照明ユニット３４７及びミラーユニット３４９は、後述する光路Ｈ（図３参照）の長さ（光路長）を一定に保持しながら移動される。これにより、第２読取面３０４Ａに載置された原稿Ｇの画像が読みとられる。
画像読取装置３００における読取部３０１については、後に詳述する。
【００１８】
装置本体Ｍは、像担持体としての感光体ドラム２ａ、２ｂ、２ｃ、２ｄと、帯電部１０ａ、１０ｂ、１０ｃ、１０ｄと、レーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給装置６ａ、６ｂ、６ｃ、６ｄと、中間転写ベルト７と、１次転写ローラ３７ａ、３７ｂ、３７ｃ、３７ｄと、２次転写ローラ８を含む中間転写ユニット２００と、定着装置９と、を備える。また、装置本体Ｍは、該装置本体Ｍの下方側に引き出し可能に配置され用紙Ｔが積層された状態で収納される給紙カセット５２を備える。また、装置本体Ｍは、給紙カセット５２から送り出された用紙Ｔが搬送される搬送路５４を備える。
【００１９】
感光体ドラム２ａ、２ｂ、２ｃ、２ｄは、円筒形状の部材である。感光体ドラム２ａ、２ｂ、２ｃ、２ｄそれぞれは、図１に対して垂直な回転軸を中心に矢印の方向に回転可能に配置される。感光体ドラム２ａ、２ｂ、２ｃ、２ｄそれぞれにおける表面には、静電潜像が形成される。
【００２０】
帯電部１０ａ、１０ｂ、１０ｃ、１０ｄは、感光体ドラム２ａ、２ｂ、２ｃ、２ｄそれぞれの上方に配置される。帯電部１０ａ、１０ｂ、１０ｃ、１０ｄは、感光体ドラム２ａ、２ｂ、２ｃ、２ｄそれぞれの表面を一様に正（プラス極性）帯電させる。
【００２１】
レーザスキャナユニット４ａ、４ｂ、４ｃ、４ｄは、感光体ドラム２ａ、２ｂ、２ｃ、２ｄそれぞれの上方に感光体ドラム２ａ、２ｂ、２ｃ、２ｄそれぞれから離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００２２】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００２３】
現像器１６ａ、１６ｂ、１６ｃ、１６ｄそれぞれは、感光体ドラム２ａ、２ｂ、２ｃ、２ｄの側方（図１において左側）に配置される。現像器１６ａ、１６ｂ、１６ｃ、１６ｄそれぞれは、感光体ドラム２ａ、２ｂ、２ｃ、２ｄに形成された静電潜像に各色のトナー画像を現像する。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄに対向配置可能な現像ローラ１１６ａ、１１６ｂ、１１６ｃ、１１６ｄとトナー攪拌用の攪拌ローラとを有して構成される。
【００２４】
トナーカートリッジ５ａ、５ｂ、５ｃ、５ｄそれぞれは、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００２５】
トナー供給装置６ａ、６ｂ、６ｃ、６ｄそれぞれは、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００２６】
中間転写ベルト７には、感光体ドラム２ａ、２ｂ、２ｃ、２ｄに現像された各色のトナー画像が順次転写される。中間転写ベルト７は、駆動ローラ３５とテンションローラ３６との間に掛け渡されて配置される。テンションローラ３６がバネ３８によって駆動ローラ３５から離れる側に付勢されているので、中間転写ベルト７には、所定の張力が与えられる。
【００２７】
中間転写ベルト７における感光体ドラム２ａ、２ｂ、２ｃ、２ｄと反対の側には、１次転写ローラ３７ａ、３７ｂ、３７ｃ、３７ｄそれぞれが対向して配置される。
【００２８】
１次転写ローラ３７ａ、３７ｂ、３７ｃ、３７ｄそれぞれと、感光体ドラム２ａ、２ｂ、２ｃ、２ｄそれぞれとにより、中間転写ベルト７における所定部分が挟み込まれる。この挟み込まれた所定部分は、感光体ドラム２ａ、２ｂ、２ｃ、２ｄそれぞれにおける表面に押し当てられる。このようにして１次転写ニップＮ１ａ、Ｎ１ｂ、Ｎ１ｃ、Ｎ１ｄが形成され、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００２９】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００３０】
２次転写ローラ８は、中間転写ベルト７に１次転写されたトナー画像を用紙Ｔに２次転写させる。２次転写ローラ８には、不図示の電圧印加手段により、中間転写ベルト７のトナー画像を用紙Ｔに転写させるための２次転写バイアスが印加される。
【００３１】
２次転写ローラ８は、中間転写ベルト７に対して接離される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。ここで、２次転写ローラ８における接離動作は中間転写ユニット２００全体が回動移動されることによりなされる。
【００３２】
２次転写ローラ８は、中間転写ユニット２００に含まれる。中間転写ユニット２００は、２次転写ローラ８を収容すると共に該２次転写ローラ８を回転可能に軸支するハウジング２０１と、ハウジング２０１の側面に配置される回転駆動ギア２１０と、２次転写ローラ８の回転軸方向であってハウジング２０１の側面に配置されるローラ側ギア２２０と、回転駆動ギア２１０とローラ側ギア２２０とに当接して配置されるアイドルギア２３０とを備える。中間転写ユニット２００は、不図示の接離手段により、不図示の回転軸を中心として２次転写ローラ８が中間転写ベルト７に当接可能な位置と、中間転写ベルト７に当接しない位置とに回動移動される。
【００３３】
中間転写ベルト７における２次転写ローラ８に対向する側には、対抗ローラ１０８が配置される。中間転写ベルト７における所定部分は、２次転写ローラ８と対抗ローラ１０８とによって挟み込まれる。そして、用紙Ｔは中間転写ベルト７の表面（画像が１次転写された側）に押し当てられる。このようにして２次転写ニップＮ２が形成され、中間転写ベルト７に１次転写されたトナー画像が用紙Ｔに２次転写される。
【００３４】
定着装置９は、用紙Ｔに２次転写されたトナー画像を構成する各色トナーを溶融定着させる。定着装置９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟持するようにして搬送する。加熱ローラ９ａと加圧ローラ９ｂとの間に挟持されるように搬送されることで、用紙Ｔに転写されたトナーは溶融定着される。
【００３５】
２次転写ローラ８とテンションローラ３６との間には、中間転写ベルト７を清掃するためのベルトクリーニング装置４０が配置される。ベルトクリーニング装置４０は、中間転写ベルト７の表面に摺接されるクリーニングブラシ４１と、クリーニングブラシ４１と接触するように配置されたクリーニングローラ４２と、先端がクリーニングローラ４２の表面に接触するように配置されるブレード４３と、ブレード４３の下方に配置された回収スパイラル４４と、を備える。
【００３６】
装置本体Ｍにおける下方側には、用紙Ｔを収容する給紙カセット５２が水平方向に引き出し可能に配置される。給紙カセット５２には、用紙Ｔが積層された状態で収容される。給紙カセット５２には、用紙Ｔが載置される載置板６０が配置される。載置板に載置された用紙Ｔは、給紙カセット５２の用紙送り出し側端部（図１における右側端部）に配置されるカセット給紙部５１により搬送路５４に送り出される。カセット給紙部５１は、載置板６０上の用紙Ｔを取り出すための前送りコロ６１と、用紙Ｔを１枚ずつ搬送路５４に送り出すための給紙ローラ対６３からなる重送防止機構を備える。
【００３７】
カセット給紙部５１と排紙部５０との間には、用紙Ｔを搬送する搬送路５４が形成される。搬送路５４は、カセット給紙部５１から２次転写ローラ８までの第１搬送路５５と、２次転写ローラ８から定着装置９までの第２搬送路５６と、定着装置９から排紙部５０までの第３搬送路５７とを有する。また、定着装置９の出口には、分岐爪５８が設けられており、この分岐爪５８と第１搬送路５５における後述する湾曲路５５ａとの間には、用紙Ｔを第１搬送路５５に戻すための戻し搬送路５９が形成される。
【００３８】
第１搬送路５５は、給紙カセット５２から送り出された用紙Ｔを上方に搬送しつつ搬送方向を図１における左方向にするための湾曲路５５ａと、湾曲路５５ａから２次転写ローラ８までの直線路５５ｂとを有する。第１搬送路５５には、用紙Ｔを案内しながら搬送するガイド板及びローラ対が配置される。また、第１搬送路５５には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信情報に基づいて上述の補正やタイミング調整をして用紙Ｔを搬送する。
【００３９】
第２搬送路５６は、定着装置９側に向かって下方側に傾いた直線状の搬送路である。第２搬送路５６には、用紙Ｔを載置した状態で搬送する搬送ベルト１５６が配置される。また、第２搬送路５６における所定位置には、用紙Ｔを検出するためのセンサが配置される。
【００４０】
第３搬送路５７は、定着装置９の出口から図１における左斜め上方に向かうよう形成される。第３搬送路５７は、分岐爪５８の搬送方向下流側に位置し上方へ向かって形成される縦搬送路５７ａを有して構成される。第３搬送路５７により搬送される用紙Ｔは、分岐爪５８の上面側を通過した後、ほぼ垂直上方に向かって搬送されて排紙部５０から装置本体Ｍの外部に排出される。第３搬送路５７は、他の搬送路と同様に、用紙Ｔを案内しながら搬送するガイド板及びローラ対を有して構成される。
【００４１】
戻し搬送路５９は、分岐爪５８から第３搬送路５７とは反対側の下方に分岐し、定着装置９、第２搬送路５６、２次転写ローラ８及びレジストローラ対８０の下方を通り、更に上方に向かうよう形成される。戻し搬送路５９は、第１搬送路５５における湾曲路５５ａに合流するように形成される。戻し搬送路５９は、定着装置９を通過した用紙Ｔを、２次転写ローラ８の上流側に配置されたレジストローラ対８０の上流側に戻すための搬送路である。戻し搬送路５９は、用紙Ｔの両面にトナー画像（文字等を含む）を印刷（印字）する、いわゆる両面印刷（印字）をする場合に用いられる搬送路である。用紙Ｔは、例えば、反転ローラ６００により表裏が反転された状態で戻し搬送路５９を介して第１搬送路５５に戻される。戻し搬送路５９は、他の搬送路と同様に、用紙Ｔを案内しながら搬送するガイド板及びローラ対を有して構成されると共に、所定位置には用紙検出用のセンサが配置される。
【００４２】
装置本体Ｍの図１における右側面であって給紙カセット５２の上方には、手差し給紙部６４が設けられる。手差し給紙部６４は、閉状態において側壁を構成する手差しトレイ６５と、給紙コロ６６とを備える。手差しトレイ６５は、下端が第１搬送路５５の湾曲路５５ａの近傍に回動自在（開閉自在）に取り付けられる。手差し給紙部６４は、開状態の手差しトレイ６５に載置された用紙Ｔを第１搬送路５５の湾曲路５５ａに給紙する。
【００４３】
次いで、図２から図９により、画像読取装置３００を構成する読取部３０１について説明する。
図２は、読取部３０１の内部構造を示す概略平面図である。図３は、図２を矢印Ｓ方向から見た図である。なお、図３は、図２において示される部材を説明のために適宜省いた模式的な図である。図４は、ＬＥＤユニット４００における斜視図である。図５は、ＬＥＤユニット４００における側面図である。図６は、ＬＥＤユニット４００における平面図である。図７は、ＬＥＤユニット４００における底面図である。図８は、図６におけるＬＥＤユニットのＡ−Ａ断面図である。図９は、ＬＥＤユニット４００の発光を制御する発光制御部４５０を含むブロック図である。
【００４４】
図２及び図３に示すように、読取部３０１は、原稿Ｇが載置されるコンタクトガラス３３５と、一対の案内レール３４５と、駆動プーリ３５１が取り付けられた駆動軸３５０と、従動プーリ３５２が取り付けられた支軸３５３と、照明手段としての照明ユニット３４７と、ミラーユニット３４９と、結像レンズ３５７と、読取手段としてのＣＣＤ３５８と、光学センサ３６２と、を備える。
【００４５】
図２に示すように、読取部３０１は、上面（図２における手前側）に配置され原稿Ｇが載置されるコンタクトガラス３３５を有する。コンタクトガラス３３５は、カラーコピー機１が通常の状態で配置された場合、水平面と略平行に配置される。
【００４６】
図２に示すように、一対の案内レール３４５は、読取部３０１における側面３０６ａ、３０６ｂ（図２における左右）同士の間に配置される。一対の案内レール３４５は、上述のコンタクトガラス３３５（図３参照）と平行に設置される。一対の案内レール３４５上には、照明ユニット３４７及びミラーユニット３４９が移動可能に載置される。
【００４７】
図２に示すように、駆動軸３５０は、側面３０６ａ側に案内レール３４５と直交するように配置される。駆動軸３５０は、不図示の駆動モータにより正転、逆転駆動される。駆動軸３５０の両端であって案内レール３４５よりも主走査方向Ｙ外側には、大径部及び小径部を有する駆動プーリ３５１が取り付けられる。
【００４８】
図２に示すように、支軸３５３は、側面３０６ｂ側に案内レール３４５と直交するように配置される。支軸３５３の両端であって案内レール３４５よりも主走査方向Ｙ外側には、駆動プーリ３５１と同一径の従動プーリ３５２が取り付けられる。
【００４９】
駆動プーリ３５１及び従動プーリ３５２の大径部には、駆動用ワイヤー３５４ａが掛け渡される。そして、駆動用ワイヤー３５４ａには、照明ユニット３４７が固定される。
また、駆動プーリ３５１及び従動プーリ３５２の小径部には、駆動用ワイヤー３５４ｂが掛け渡される。そして、駆動用ワイヤー３５４ｂにはミラーユニット３４９が固定される。
【００５０】
駆動軸３５０が駆動モータによって回転されることで、駆動用ワイヤー３５４ａ、３５４ｂは回動される。駆動用ワイヤー３５４ａ、３５４ｂが回動されることで、照明ユニット３４７及びミラーユニット３４９は、案内レール３４５に沿って副走査方向Ｘ（図の左右方向）に移動される。駆動プーリ３５１及び従動プーリ３５２の大径部と小径部の径比が２：１であるため、照明ユニット３４７とミラーユニット３４９の移動距離の比は２：１となる。
【００５１】
ここで、照明ユニット３４７及びミラーユニット３４９における案内レール３４５の上面と接する部分には、接触子３５５がそれぞれ２個ずつ設けられる。各接触子３５５の案内レール３４５との接触面は球面状となっている。これにより、照明ユニット３４７及びミラーユニット３４９は、副走査方向Ｘへスムースに移動される。
【００５２】
図２に示すように、読取部３０１の底面における側面３０６ａ側には、支持部材であるＩＳＵベース３５６が取り付けられる。ＩＳＵベース３５６の上面には、結像レンズ３５７と、読取手段としてのＣＣＤ３５８が所定の位置関係で取り付けられる。
【００５３】
図２に示すように、結像レンズ３５７は、ＩＳＵベース３５６に固定されるレンズ支持台３５９上に設置される。レンズ支持台３５９は、ＣＣＤ３５８側に配置されるガイド部材３６０により位置が調整可能に配置される。結像レンズ３５７は、読取部３０１の副走査方向Ｘにおける略中央に配置される。結像レンズ３５７は、光路Ｈにおける原稿Ｇ側と反対の端部側に配置される。結像レンズ３５７は、入射された光束Ｈ４（図３参照）を所定位置において結像させる。つまり、結像レンズ３５７は、原稿Ｇの画像を所定位置において結像させる。
【００５４】
図２に示すように、ＣＣＤ３５８は、ガイド部材３６０の背面に配置されるＣＣＤ基板３６１に実装される。ＣＣＤ３５８は、結像レンズ３５７における結像位置に配置される。結像レンズ３５７からの光束は、ガイド部材３６０の中央付近に形成される開口窓３６０ａを通ってＣＣＤ３５８に入射される。ＣＣＤ３５８に入射される光束における光軸は、ガイド部材３６０の位置を微調整することにより補正される。
【００５５】
光学センサ３６２は、ＩＳＵベース３５６上に配置される。光学センサ３６２は、コンタクトガラス３３５上に載置された原稿Ｇからの反射光を受光するか否かによって原稿のサイズ（図２の左右方向）を検知する。
【００５６】
図３に示すように、照明ユニット３４７は、照明手段としてのＬＥＤユニット４００と、第１ミラー３４７ａと、ＬＥＤユニット４００及び第１ミラー３４７ａを収容する第１枠体３４７ｂと、を備える。
【００５７】
ＬＥＤユニット４００は、第１枠体３４７ｂにおける垂直方向Ｚにおける上側に配置される。また、ＬＥＤユニット４００は、複数の発光部としての複数のＬＥＤ４１０、４２０を有する。ＬＥＤユニット４００については、後に詳述する。
【００５８】
第１ミラー３４７ａは、照明ユニット３４７における厚さ方向（垂直方向Ｚ）における下方側に配置される。第１ミラー３４７ａは、反射面が原稿Ｇ及び第２ミラー３４９ａ側に向くように配置される。第１ミラー３４７ａは、原稿からの光束Ｈ１を第２ミラー３４９ａに反射させる。
【００５９】
第１枠体３４７ｂは、ＬＥＤユニット４００と第１ミラー３４７ａとを収容する。第１枠体３４７ｂは、駆動プーリ３５１（図２参照）及び従動プーリ３５２（図２参照）の大径部に掛け渡される駆動用ワイヤー３５４ａ（図２参照）に固定される。駆動用ワイヤー３５４ａ、３５４ｂ（図２参照）が回動されることで、第１枠体３４７ｂは、案内レール３４５に沿って副走査方向Ｘに移動される。
【００６０】
図３に示すように、ミラーユニット３４９は、第２ミラー３４９ａと、第３ミラー３４９ｂと、第２ミラー３４９ａと第３ミラー３４９ｂとを収容する第２枠体３４９ｃと、を備える。
【００６１】
第２ミラー３４９ａは、第２枠体３４９ｃの厚さ方向（垂直方向Ｚ）における上方側に配置される。第２ミラー３４９ａは、反射面が第１ミラー３４７ａ及び第３ミラー３４９ｂ側を向くように配置される。第２ミラー３４９ａは、第１ミラー３４７ａからの光束Ｈ２を第３ミラー３４９ｂ側に反射させる。
【００６２】
第３ミラー３４９ｂは、第２枠体３４９ｃの厚さ方向（垂直方向Ｚ）における下方側に配置される。第３ミラー３４９ｂは、反射面が第２ミラー３４９ａ及び結像レンズ３５７側を向くように配置される。第３ミラー３４９ｂは、第２ミラー３４９ａからの光束Ｈ３を結像レンズ３５７側に反射させる。
【００６３】
第１ミラー３４７ａと、第２ミラー３４９ａと、第３ミラー３４９ｂとは、原稿Ｇからの光を結像レンズ３５７に入光させるための光路Ｈを形成する。上述の通り、照明ユニット３４７が副走査方向Ｘに速度Ａで移動すると共に、ミラーユニット３４９が副走査方向Ｘに速度Ａ／２で移動するので、画像読み取り動作時においても光路Ｈの長さは一定に保持される。
【００６４】
ここで、図４から図９より、ＬＥＤユニット４００について詳述する。
図４及び図５に示すように、ＬＥＤユニット４００は、基板としてのＬＥＤ基板４０１と、ＬＥＤ基板４０１に実装される複数の第１ＬＥＤ４１０及び複数の第２ＬＥＤ４２０とを備える。具体的には、ＬＥＤユニット４００は、ＬＥＤ基板４０１と、ＬＥＤ基板４０１における原稿Ｇ側の面である第１面４０１ａに実装される複数の第１ＬＥＤ４１０と、ＬＥＤ基板４０１における第１面と反対の第２面４０１ｂに実装される第２ＬＥＤ４２０とを備える。
【００６５】
図４及び図８に示すように、複数の第１ＬＥＤ４１０及び複数の第２ＬＥＤ４２０は、主走査方向Ｙに一直線になるように配置される。また、複数の第１ＬＥＤ４１０と複数の第２ＬＥＤ４２０とは、主走査方向Ｙにおいて交互に配置される。また、複数の第１ＬＥＤ４１０と複数の第２ＬＥＤ４２０とは、主走査方向Ｙにおいて互いに近接して配置される。
【００６６】
図５及び図８に示すように、複数の第２ＬＥＤ４２０は、複数の孔部４０２それぞれに挿通された状態でＬＥＤ基板４０１における第２面４０１ｂに実装される。ＬＥＤ基板４０１には、複数の孔部４０２が形成される。詳細には、ＬＥＤ基板４０１には、主走査方向Ｙにおいて、孔部４０２が複数の第１ＬＥＤ４１０同士の間に形成される。複数の孔部４０２には、複数の第２ＬＥＤ４２０それぞれが挿通される。そして、複数の孔部４０２それぞれに挿通された状態である複数の第２ＬＥＤ４２０それぞれは、ＬＥＤ基板４０１における第２面４０１ｂに実装される。
【００６７】
図４及び図６に示すように、ＬＥＤ基板４０１における第１面４０１ａには、複数の第１ＬＥＤ４１０が実装される。具体的には、複数の第１ＬＥＤ４１０それぞれは、副走査方向Ｘ外側の外周に形成される実装部４１３、４１３において、第１面４０１ａに実装される。ここで、第１ＬＥＤ４１０の外周からはみ出るように形成される実装部４１３、４１３が副走査方向Ｘ側に並ぶように配置されるので、主走査方向Ｙにおいて、隙間なく第１ＬＥＤ４１０と第２ＬＥＤ４２０とを並べることができる。
【００６８】
図７に示すように、ＬＥＤ基板４０１における第１面４０１ａには、複数の第２ＬＥＤ４２０が実装される。具体的には、複数の孔部４０２それぞれに挿通される複数の第１ＬＥＤ４１０（図８参照）それぞれは、副走査方向Ｘ外側の外周に形成される実装部４２３、４２３において第２面４０１ｂ（図８参照）に実装される。ここで、第２ＬＥＤ４２０の外周からはみ出るように形成される実装部４２３、４２３が副走査方向Ｘ側に並ぶように配置されるので、主走査方向Ｙにおいて、隙間なく第１ＬＥＤ４１０（図８参照）と第２ＬＥＤ４２０とを並べることができる。
【００６９】
図５及び図８に示すように、第１ＬＥＤ４１０における垂直方向Ｚの長さ（高さ）は、第２ＬＥＤ４２０における垂直方向Ｚの長さ（高さ）より短くなる（低くなる）なるように構成される。具体的には、第１ＬＥＤ４１０における垂直方向Ｚの長さ（高さ）は、第２ＬＥＤ４２０における垂直方向Ｚの長さ（高さ）よりも、ＬＥＤ基板４０１の垂直方向Ｚにおける距離（厚さ）分だけ垂直方向Ｚの長さが短くなるように構成される。
【００７０】
これにより、複数の第１ＬＥＤ４１０それぞれにおける発光面４１０ａと、複数の第２ＬＥＤ４２０それぞれにおける発光面４２０ａとは、略同一平面上に位置する。複数の第１ＬＥＤ４１０それぞれにおける発光面４１０ａと、複数の第２ＬＥＤ４２０それぞれにおける発光面４２０ａとは、原稿Ｇからみて垂直方向Ｚに同じ距離（高さ）に位置する。これにより、原稿Ｇに照射される光の光量が均一化される。
【００７１】
続けて、図９により、第１ＬＥＤ４１０及び第２ＬＥＤ４２０における発光の制御について説明する。
図９に示すように、画像読取装置３００は、複数の第１ＬＥＤ４１０と、複数の第２ＬＥＤ４２０とにおける発光を別々に制御する発光制御部４５０を有する。
発光制御部４５０は、複数の第１ＬＥＤ又は複数の第２ＬＥＤの一方を発光させ、他方を発光させないようにすることができる。発光制御部４５０は、複数の第１ＬＥＤ及び複数の第２ＬＥＤを発光させ、又は発光させないようにすることができる。
また、発光制御部４５０は、複数の第１ＬＥＤと、複数の第２ＬＥＤとにおける光量を制御することができる。ここで、光量の制御は、複数の第１ＬＥＤ又は複数の第２ＬＥＤそれぞれに供給する電圧等を調整することで行うことができる。
【００７２】
発光制御部４５０による発光制御として、例えば、原稿Ｇが第１読取面３０３Ａをスライドするように移動されて画像が読み取られる場合、発光制御部４５０は、複数の第１ＬＥＤ４１０及び複数の第２ＬＥＤ４２０それぞれを発光させる（図３参照）。これに対し、原稿Ｇが第２読取面３０４Ａに載置された状態で画像が読みとられる場合、発光制御部４５０は、複数の第１ＬＥＤ４１０を発光させ、複数の第２ＬＥＤ４２０を発光させないように制御する（図３参照）。
また、ＬＥＤユニット４００を原稿Ｇの存在や位置を検知するセンサとして利用する場合、発光制御部４５０は、複数の第１ＬＥＤ４１０それぞれを少ない光量で短時間だけ発光させることもできる。
【００７３】
続けて、画像読取装置３００における作用について説明する。
まず、原稿送り部７０を開状態にすると共に、読取面３０２Ａを構成する第２読取面３０４Ａ（図３参照）に原稿Ｇを載置する。光学センサ３６２（図３参照）により第２読取面３０４Ａに原稿が載置されたことが検知されることで、照明ユニット３４７及びミラーユニット３４９は、第２位置３０４に配置される。
【００７４】
次いで、原稿送り部７０を閉状態にする。そして、不図示のスタートスイッチを押すことで、カラーコピー機１に対して、原稿Ｇの画像を複製することを指示する。スタートスイッチが押されることで、画像読取装置３００による原稿Ｇの画像を読み取り動作が開始される。
【００７５】
具体的には、まず、複数の第１ＬＥＤ４１０及び複数の第２ＬＥＤ４２０とが発光される（図３から図５参照）。発光された複数の第１ＬＥＤ４１０及び複数の第２ＬＥＤ４２０からの光は、原稿Ｇに照射される。原稿Ｇには、主走査方向Ｙに延びるようなライン状の光が照射される。
【００７６】
主走査方向Ｙにおいて複数の第１ＬＥＤ４１０と複数の第２ＬＥＤ４２０とが隙間なく近接して配置されるので、原稿Ｇに照射される光は、単位面積当たりの光量が多い。
【００７７】
原稿Ｇへの光の照射がされた状態で、照明ユニット３４７及びミラーユニット３４９それぞれは、副走査方向Ｘに移動される。照明ユニット３４７及びミラーユニット３４９それぞれは、光路Ｈにおける光路長を一定に保持しながら移動する。
【００７８】
原稿Ｇからの光束は、第１ミラー３４７ａ、第２ミラー３４９ａ及び第３ミラー３４９ｂに反射された後、結像レンズ３５７に入射される（図３参照）。
【００７９】
結像レンズ３５７は、原稿Ｇの画像を結像させる。結像位置に配置されたＣＣＤ３５８は、ガイド部材３６０の開口窓３６０ａを通過して該ＣＣＤ３５８上に結像された画像に基づいて、原稿Ｇの画像を画像情報として読み込む（図３参照）。
【００８０】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される。
【００８１】
装置本体Ｍにおいて、入力された画像情報は、不図示の画像形成制御部に入力される。画像形成制御部は、画像情報に基づいて、画像形成部を構成する像担持体としての感光体ドラム２、帯電部１０、レーザスキャナユニット４や現像器１６等を制御する。感光体ドラム２には、画像情報に基づいて、所定のトナー画像が形成される（図１参照）。
【００８２】
搬送路Ｌを介して感光体ドラム２により形成される転写ニップＮに搬送された用紙Ｔには、画像情報に基づいて原稿Ｇの画像と同じ画像が転写される。画像が形成された用紙Ｔは、排紙部５０から装置本体Ｍの外部に排紙される（図１参照）。
【００８３】
本実施形態によれば、ＬＥＤ（発光部）の実装効率に優れたＬＥＤユニット４００（照明手段）を有するカラーコピー機１を提供することができる。
【００８４】
また、本実施形態によれば、複数の第１ＬＥＤ４１０と複数の第２ＬＥＤ４２０とを主走査方向Ｙにおいて隙間なく互いに隣接して配置したので、ＬＥＤユニット４００から原稿Ｇに照射される光の光量を十分なものにすることができる。言い換えると、ＬＥＤユニット４００から原稿Ｇに照射される光の単位面積あたりの光量を強くすることができる。
【００８５】
また、本実施形態によれば、複数の第１ＬＥＤ４１０と複数の第２ＬＥＤ４２０とを主走査方向Ｙにおいて隙間なく互いに隣接して配置したので、ＬＥＤユニット４００の大型化を抑制することができる。
【００８６】
また、本実施形態によれば、複数の第１ＬＥＤ４１０における発光面４１０ａと複数の第２ＬＥＤ４２０における発光面４２０ａとが略同一面に位置するようにしたので、原稿Ｇに照射される光を均一にすることができる。
【００８７】
また、本実施形態によれば、発光制御部４５０により、複数の第１ＬＥＤ４１０と複数の第２ＬＥＤ４２０とにおける発光を別々に制御することができるので、原稿Ｇの読み込み態様等に応じて、複数の第１ＬＥＤ４１０及び複数の第２ＬＥＤ４２０それぞれを必要な強度で発光させることができる。ここで、ＬＥＤユニット４００は、主走査方向Ｙに一列に並んだ複数のＬＥＤが、第１面４０１ａ側に実装された複数の第１ＬＥＤ４１０と、第２面４０１ｂ側に実装された複数の第２ＬＥＤとの２つの群により構成されるので、発光をより簡易に制御することができる。
【００８８】
以上、好適な実施形態について説明したが、本発明は上述した実施形態に限定されることなく種々の形態で実施することができる。例えば、本実施形態において、画像形成装置としてカラーコピー機１につい説明しているが、これに限定されず、モノクロコピー機、プリンタ、ファクシミリ及びこれらの複合機等であってもよい。
【００８９】
また、本実施形態において、画像読取装置３００は、装置本体Ｍと一体的に形成されているが、これに限定されず、装置本体Ｍと別個の筐体により構成されていてもよい。例えば、画像読取装置３００は、装置本体Ｍに対して着脱可能に構成されてもよい。
【００９０】
また、本実施形態において、画像読取装置３００は、画像形成装置としてのカラーコピー機１の一部を構成しているが、これに限定されず、例えば、イメージスキャナ等の単体として用いられる装置であってもよい。
【００９１】
また、本実施形において、発光部としてＬＥＤについて説明しているが、これに限定されない。例えば、発光部として、有機ＥＬ（Ｏｒｇａｎｉｃ  Ｅｌｅｃｔｒｏ−Ｌｕｍｉｎｅｓｃｅｎｃｅ）、光ファイバーを利用したものや各種ランプを用いることができる。
【００９２】
また、本実施形態において、複数の第１ＬＥＤ４１０及び複数の第２ＬＥＤ４２０それぞれは、主走査方向Ｙに並んで配置されているが、これに限定されず、例えば、四角形状になるように近接して配置してもよい。これにより、単位面積当たりに配置されるＬＥＤを多くすることができる。
【００９３】
また、本実施形態において、第１ＬＥＤ４１０における発光面４１０ａと、第２ＬＥＤ４２０における発光面４２０ａとが略同一面上に配置されるが、これに限定されず、異なる面上に配置されてもよい。図１０及び図１１により、この他の実施形態について説明する。図１０は、他の実施形態におけるＬＥＤユニット５００の斜視図である。図１１は、他の実施形態におけるＬＥＤユニット５００の断面図（図８に相当）である。
【００９４】
図１０及び図１１に示すように、第１ＬＥＤ５１０における発光面５１０ａと、第２ＬＥＤ５２０における発光面５２０ａとは、同一面上にない。ここで、この実施形態において、第１ＬＥＤ５１０と第２ＬＥＤ５２０とは、同じ高さ（Ｚ方向の距離が同じ）である。この場合、第１ＬＥＤ５１０、第２ＬＥＤ５２０として、同じＬＥＤ部品を用いることができる。つまり、この実施形態によれば、部品の共通化による低コスト化というメリットを更に有する。
【図面の簡単な説明】
【００９５】
【図１】カラーコピー機１における各構成要素の配置を説明するための図である。
【図２】読取部３０１の内部構造を示す概略平面図である。
【図３】図２を矢印Ｓ方向から見た図である。なお、図３は、図２において示される部材を説明のために適宜省いた模式的な図である。
【図４】ＬＥＤユニット４００における斜視図である。
【図５】ＬＥＤユニット４００における側面図である。
【図６】ＬＥＤユニット４００における平面図である。
【図７】ＬＥＤユニット４００における底面図である。
【図８】図５におけるＬＥＤユニットのＡ−Ａ断面図である。
【図９】ＬＥＤユニット４００の発光を制御する発光制御部４５０を含むブロック図である。
【図１０】他の実施形態におけるＬＥＤユニット５００の斜視図である。
【図１１】他の実施形態におけるＬＥＤユニット５００の断面図（図８に相当）である。
【符号の説明】
【００９６】
１……カラーコピー機（画像形成装置）、２ａ、２ｂ、２ｃ、２ｄ……感光体ドラム（像担持体）、１６……現像器、３００……画像読取装置、３４７……照明ユニット
３４７ａ……第１ミラー（ミラー）、３４９ａ……第２ミラー（ミラー）、３４９ｂ……第３ミラー（ミラー）、３５７……結像レンズ、３５８……ＣＣＤ（読取手段）、４００……ＬＥＤユニット（照明手段）、４０１……ＬＥＤ基板（基板）、４０１ａ……第１面、４０１ｂ……第２面、４０２……孔部、４１０……第１ＬＥＤ（発光部）、４２０……第２ＬＥＤ（発光部）、Ｇ……原稿、Ｈ……光路、Ｎ……転写ニップ（転写部）、Ｘ……副走査方向、Ｙ……主走査方向、￥……垂直方向、Ｈ１、Ｈ２、Ｈ３、Ｈ４……光束
【図１】
2010026289.tif 000003
【図２】
2010026289.tif 000004
【図３】
2010026289.tif 000005
【図４】
2010026289.tif 000006
【図５】
2010026289.tif 000007
【図６】
2010026289.tif 000008
【図７】
2010026289.tif 000009
【図８】
2010026289.tif 000010
【図９】
2010026289.tif 000011
【図１０】
2010026289.tif 000012
【図１１】
2010026289.tif 000013